【手続補正書】
【提出日】平成23年1月31日(2011.1.31)
【手続補正１】
【補正対象書類名】特許請求の範囲
【補正対象項目名】全文
【補正方法】変更
【補正の内容】
【特許請求の範囲】
【請求項１】
被写体に対して発光を行う発光手段を用いた撮影が可能な撮像装置であって、
焦点調節に伴う撮影レンズのレンズ駆動情報に基づいて前記被写体の距離情報を取得する第１の取得手段と、
撮像して得られた画像信号に基づいて前記被写体の顔情報を取得する第２の取得手段と、
前記第２の取得手段により取得された前記顔情報に基づいて被写体距離を演算する距離演算手段と、
前記第１の取得手段によって得られた前記被写体の距離情報と前記距離演算手段で演算された被写体距離とに基づいて、前記発光手段の本発光量を演算する発光量演算手段と、を備えることを特徴とする撮像装置。
【請求項２】
前記被写体の輝度を測光する測光手段を備え、
前記発光量演算手段は、前記測光手段の測光結果に基づく第１の値、及び、前記第１の取得手段によって得られた前記被写体の距離情報に基づく第２の値、の少なくとも一方に基づいて前記発光手段の本発光量を演算し、前記第１の取得手段によって得られた前記被写体の距離情報に基づく被写体距離と前記距離演算手段で演算された被写体距離とに基づいて、前記発光手段の本発光量演算における前記第１の値の重み付け及び前記第２の値の重み付けの少なくとも一方を変更することを特徴とする請求項１に記載の撮像装置。
【請求項３】
前記発光量演算手段は、前記第１の取得手段によって得られた前記被写体の距離情報に基づく被写体距離と前記距離演算手段で演算された被写体距離とが近いほど、前記発光手段の本発光量演算における前記第２の値の重み付けを大きくすることを特徴とする請求項２に記載の撮像装置。
【請求項４】
前記発光量演算手段は、前記第１の取得手段によって得られた前記被写体の距離情報に基づく被写体距離及び前記距離演算手段で演算された被写体距離のいずれか一方の他方に対する比率が所定の範囲内の場合、当該比率が前記所定の範囲外の場合よりも前記発光手段の本発光量演算における前記第２の値の重み付けを大きくすることを特徴とする請求項２に記載の撮像装置。
【請求項５】
前記発光量演算手段は、前記第２の取得手段により前記顔情報を取得できていない場合、前記比率が前記所定の範囲内の場合よりも前記発光手段の本発光量演算における前記第２の値の重み付けを小さくすることを特徴とする請求項４に記載の撮像装置。
【請求項６】
前記発光量演算手段は、前記第１の取得手段によって前記被写体の距離情報が取得できていない場合、前記第１の取得手段によって前記被写体の距離情報が取得できている場合よりも前記発光手段の本発光量演算における前記第２の値の重み付けを小さくすることを特徴とする請求項２ないし５のいずれか１項に記載の撮像装置。
【請求項７】
前記発光量演算手段は、前記第１の取得手段によって得られた前記被写体の距離情報に基づく被写体距離と前記距離演算手段で演算された被写体距離とが近いほど、前記発光手段の本発光量演算における前記第１の値の重み付けを小さくすることを特徴とする請求項２ないし６のいずれか１項に記載の撮像装置。
【請求項８】
前記発光量演算手段は、前記第１の取得手段によって得られた前記被写体の距離情報に基づく被写体距離及び前記距離演算手段で演算された被写体距離のいずれか一方の他方に対する比率が所定の範囲内の場合、当該比率が前記所定の範囲外の場合よりも前記発光手段の本発光量演算における前記第１の値の重み付けを小さくすることを特徴とする請求項２ないし６のいずれか１項に記載の撮像装置。
【請求項９】
前記発光量演算手段は、前記第２の取得手段により前記顔情報を取得できていない場合、前記比率が前記所定の範囲内の場合よりも前記発光手段の本発光量演算における前記第１の値の重み付けを大きくすることを特徴とする請求項８に記載の撮像装置。
【請求項１０】
前記発光量演算手段は、前記第１の取得手段によって前記被写体の距離情報が取得できていない場合、前記第１の取得手段によって前記被写体の距離情報が取得できている場合よりも前記発光手段の本発光量演算における前記第１の値の重み付けを大きくすることを特徴とする請求項２ないし９のいずれか１項に記載の撮像装置。
【請求項１１】
前記距離演算手段は、前記第２の取得手段により取得された前記顔情報と前記撮像装置の焦点距離情報とに基づいて被写体距離を演算することを特徴とする請求項１ないし１０のいずれか１項に記載の撮像装置。
【請求項１２】
前記顔情報は、前記撮像装置の撮像画面における前記被写体である人物の顔の大きさを示す顔大きさ情報であることを特徴とする請求項１ないし１１のいずれか１項に記載の撮像装置。
【請求項１３】
被写体に対して発光を行う発光手段を用いた撮影が可能な撮像装置の制御方法であって、
焦点調節に伴う撮影レンズのレンズ駆動情報に基づいて前記被写体の距離情報を取得する第１の取得ステップと、
撮像して得られた画像信号に基づいて前記被写体の顔情報を取得する第２の取得ステップと、
前記第２の取得ステップで取得された前記顔情報に基づいて被写体距離を演算する距離演算ステップと、
前記第１の取得ステップによって得られた前記被写体の距離情報と前記距離演算ステップで演算された被写体距離とに基づいて、前記発光手段の本発光量を演算する発光量演算ステップと、を備えることを特徴とする制御方法。
【手続補正２】
【補正対象書類名】明細書
【補正対象項目名】発明の名称
【補正方法】変更
【補正の内容】
【発明の名称】撮像装置及び制御方法
【手続補正３】
【補正対象書類名】明細書
【補正対象項目名】０００１
【補正方法】変更
【補正の内容】
【０００１】
本発明は、フラッシュ発光による撮影が可能な撮像装置及び制御方法に関する。
【手続補正４】
【補正対象書類名】明細書
【補正対象項目名】００１２
【補正方法】変更
【補正の内容】
【００１２】
本発明の目的は、被写体の反射率に依存しない良好な露出と発光量の誤差の影響を低減した安定した露出を得ることを可能とした撮像装置及び制御方法を提供することにある。
【手続補正５】
【補正対象書類名】明細書
【補正対象項目名】００１３
【補正方法】変更
【補正の内容】
【００１３】
上述の目的を達成するために、本発明にかかる撮像装置は、被写体に対して発光を行う発光手段を用いた撮影が可能な撮像装置であって、焦点調節に伴う撮影レンズのレンズ駆動情報に基づいて前記被写体の距離情報を取得する第１の取得手段と、撮像して得られた画像信号に基づいて前記被写体の顔情報を取得する第２の取得手段と、前記第２の取得手段により取得された前記顔情報に基づいて被写体距離を演算する距離演算手段と、前記第１の取得手段によって得られた前記被写体の距離情報と前記距離演算手段で演算された被写体距離とに基づいて、前記発光手段の本発光量を演算する発光量演算手段と、を備えることを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
本発明によれば、良好で安定した露出を得ることが可能となる。
【手続補正８】
【補正対象書類名】明細書
【補正対象項目名】００２２
【補正方法】変更
【補正の内容】
【００２２】
測光用センサ２６は、例えばシリコンフォトダイオード等の光電変換素子から構成されており、被写体の輝度に関する情報を得るためのセンサである。測光用センサ２６は、図３に示すように格子状に複数に分割された受光センサ部２６Ａを備えており、撮像画面の略全体を視野としている。受光センサ部２６Ａは、本実施の形態では受光視野内が７列×５行の３５分割されている。３５分割された各受光部をＰＤ１〜ＰＤ３５と表記する。測光用センサ２６は、受光センサ部２６Ａに加えて、信号増幅部や信号処理用の周辺回路等が同一チップ上に集積回路として作り込まれている。
【手続補正９】
【補正対象書類名】明細書
【補正対象項目名】００２６
【補正方法】変更
【補正の内容】
【００２６】
交換レンズ２は、撮影レンズを構成する光学レンズ３０ａ〜３０ｅ、絞り３１、カメラ本体１と情報通信を行うための接点部３２、交換レンズ２をカメラ本体１に取り付けるためのマウント部３３を備えている。フラッシュ装置３は、発光部３４（本例ではキセノン管）、反射笠３５、集光用のフレネルレンズ３６、発光部３４の発光量を検出する発光量センサ（モニタセンサ）３７、フラッシュ装置３をカメラ本体１に取り付けるための取付部３８を備えている。
【手続補正１０】
【補正対象書類名】明細書
【補正対象項目名】００２９
【補正方法】変更
【補正の内容】
【００２９】
制御部４１は、カメラ全体の制御を行う。制御部４１は、Ａ／Ｄコンバータ４１ａ、タイマ４１ｂ、演算論理ユニット（ＡＬＵ）４１ｃ、ＲＯＭ４１ｄ、ＲＡＭ４１ｅ、シリアル通信ポート（ＳＰＩ）４１ｆ等を内蔵したワンチップマイクロコンピュータから構成されている。また、制御部４１は、ＲＯＭ４１ｄに格納されたプログラムに基づき、図６ａ、図６ｂ、図７、図８の各フローチャートに示す処理を実行する。ＲＯＭ４１ｄには、後述するＬＶＬ０決定用テーブル（図９）、Ｗ（ｉ）値決定用テーブル（図１０）が格納されている。
【手続補正１１】
【補正対象書類名】明細書
【補正対象項目名】００３１
【補正方法】変更
【補正の内容】
【００３１】
信号処理回路４３は、制御部４１の指示に従って撮像素子１２を制御し、撮像素子１２から出力される撮像信号をＡ／Ｄ変換しながら入力して信号処理を行い、画像信号を得る。また、信号処理回路４３は、得られた画像信号から被写体（人間）の目・口といった特徴を抽出して人間の顔を検出し顔情報（顔位置情報、顔大きさ情報）として得る顔検出機能も有する。また、信号処理回路４３は、得られた画像信号を記憶部５０に記録するに際して圧縮等の必要な画像処理を行う。